(57)【要約】【課題】  健康増進のために適し、かつ、利用者の現在位置の周辺の店舗で購入可能又は提供を受けることが可能な食品から構成される昼食の献立を対象者に提示する。【解決手段】  健康増進支援装置３００Ａが、可搬型通信装置１００jからの現在位置を指定した支援要求を受信した場合に、可搬型通信装置１００jの現在位置の周辺の店舗の品揃え情報である周辺店舗品揃え情報を品揃え管理装置２００Ａから取得する。そして、健康増進支援装置３００Ａが、内部に登録されている利用者が当日の昼食により摂取することが推奨される栄養成分に関連する情報である推奨栄養成分関連情報における登録内容と、取得された周辺店舗品揃え情報とに基づいて推奨献立情報を生成する。そして、健康増進支援装置３００Ａが、生成された推奨献立情報を可搬型通信装置１００jへ送信する。【選択図】  図１
2020091577.tif 000002
【特許請求の範囲】
【請求項１】
利用者が操作する可搬型通信装置と；
複数の店舗で利用者に販売又は提供される食品の品揃え情報を管理し、外部との通信が可能な品揃え管理装置と；
前記可搬型通信装置及び前記品揃え管理装置との通信が可能な健康増進支援装置と；を備える健康増進支援システムであって、
前記可搬型通信装置は、
現在位置を検出する位置検出部と；
前記健康増進支援装置から受信した推奨献立情報を利用者に提示する提示部と；を備え、
前記品揃え情報には、前記複数の店舗のそれぞれの位置情報と、前記複数の店舗のそれぞれで販売又は提供される複数の食品と、前記複数の食品の栄養成分とが含まれ、
前記健康増進支援装置は、
利用者が当日の昼食により摂取することが推奨される栄養成分に関連する情報が記憶される記憶部と；
前記可搬型通信装置からの現在位置を指定した支援要求を受信した場合に、前記可搬型通信装置の現在位置の周辺の店舗の品揃え情報を、前記品揃え管理装置から取得する取得部と；
前記関連する情報を参照して算出される前記推奨される栄養成分と、前記取得された品揃え情報とに基づいて推奨献立情報を生成し、前記生成された推奨献立情報を前記可搬型通信装置へ送信する生成部と；を備える、
ことを特徴とする健康増進支援システム。
【請求項２】
前記可搬型通信装置は、前記推奨献立情報を参照した利用者が当日の昼食で外食した食品を前記健康増進支援装置へ送信し、
前記関連する情報には、当日を含む１週間における昼食を外食とする予定の昼食外食予定日数に応じて定まる週間推奨栄養成分が含まれ、
前記生成部は、前記週間推奨栄養成分から、前記１週間において前記当日の前日までに昼食外食により摂取した食品の栄養成分を差し引いた差分栄養成分に基づいて、前記推奨される栄養成分を算出する、
ことを特徴とする請求項１に記載の健康増進支援システム。
【請求項３】
前記生成部は、前記週間推奨栄養成分、及び、前記１週間で昼食外食により実際に摂取した食品の栄養成分の合計を、前記可搬型通信装置へ送信する、ことを特徴とする請求項２に記載の健康増進支援システム。
【請求項４】
前記関連する情報には、利用者の年齢、体重及び性別が含まれる、ことを特徴とする請求項１〜３のいずれか一項に記載の健康増進支援システム。
【請求項５】
前記可搬型通信装置は、利用者により指定された店舗の情報を前記健康増進支援装置へ送信し、
前記生成部は、前記指定された店舗で販売又は提供されている食品の範囲内で、前記推奨献立情報を生成する、
ことを特徴とする請求項１〜４のいずれか一項に記載の健康増進支援システム。
【請求項６】
前記可搬型通信装置は、利用者により指定された外食食品候補の情報を前記健康増進支援装置へ送信し、
前記生成部は、前記指定された外食食品候補を優先して、前記推奨献立情報を生成する、
ことを特徴とする請求項１〜５のいずれか一項に記載の健康増進支援システム。
【請求項７】
前記生成部は、前記品揃え管理装置から取得した前記現在位置の周辺の店舗の品揃え情報を、前記可搬型通信装置へ送信し、
前記外食食品候補の指定は、前記送信された品揃え情報を参照した利用者により行われる、
ことを特徴とする請求項６に記載の健康増進支援システム。
【請求項８】
前記外食食品候補の指定は、利用者が訪問した店舗において行われる、ことを特徴とする請求項６に記載の健康増進支援システム。
【請求項９】
前記可搬型通信装置は、撮影部を更に備え、
前記外食食品候補の指定は、前記撮影部による撮影結果に基づいて行われる、
ことを特徴とする請求項８に記載の健康増進支援システム。
【請求項１０】
利用者が操作する可搬型通信装置と；複数の店舗で販売又は提供される食品の品揃え情報を管理し、外部との通信が可能な品揃え管理装置と；前記可搬型通信装置及び前記品揃え管理装置との通信が可能な健康増進支援装置と；を備える健康増進支援システムにおいて使用される健康増進支援方法であって、
前記可搬型通信装置からの現在位置を指定した支援要求を受信した場合に、前記健康増進支援装置が、前記可搬型通信装置の現在位置の周辺の店舗の品揃え情報を、前記品揃え管理装置から取得する取得工程と；
前記取得された品揃え情報と、当日に摂取することが推奨される栄養成分とに基づいて、前記健康増進支援装置が、推奨献立情報を生成し、前記生成された推奨献立情報を前記可搬型通信装置へ送信する生成工程と；を備える、
ことを特徴とする健康増進支援方法。
【発明の詳細な説明】
【技術分野】
【０００１】
本発明は、健康増進支援システム及び健康増進支援方法に係り、特に、利用者の健康増進や健康維持のための献立を提示する健康増進支援システム及び健康増進支援方法に関するものである。
【背景技術】
【０００２】
健康は栄養バランスのとれた食生活により得られる。このため、従来から、糖尿病、高脂血症、高血圧症等の生活習慣病の予防や改善のために、栄養バランスのとれた献立を提示するための技術が提案されている。
【０００３】
こうした提案技術の一つとして、対象者が取り組み易い食生活の改善を支援する技術がある（特許文献１参照：以下、「従来例１」という）。この従来例１の技術では、対象者にとって一般的な単位期間（例えば、１日分）における複数回の食事の献立の入力結果に基づいて対象者の食習慣（食嗜好を含む）を特定する。引き続き、対象者の個人健康情報（年齢、体重、性別等）により定まる各栄養成分の当該単位期間における摂取基準量と、入力された献立から算出された各栄養成分の現状摂取量との差分、及び、特定された対象者の食習慣に基づいて、改善献立が作成される。そして、作成された改善献立が、対象者に提供されるようになっている。
【０００４】
また、提案技術の他の一つとして、食事の楽しさを失うことなく食生活の実行を継続可能であり、結果として高血圧の予防等の所定の目標を達成することを支援する技術がある（特許文献２参照：以下、「従来例２」という）。この従来例２の技術では、対象者の個人健康情報（年齢、体重、性別等）により定まる各栄養成分の１日当たりの摂取基準量と、入力された献立から算出された各栄養成分の現状摂取量との差分、及び、対象者の出身地や献立作成対象日の季節等の対象者による食材や食品の選択傾向に影響を与える情報に基づいて、日々の献立が作成される。そして、作成された改善献立が、対象者に提供されるようになっている。
【先行技術文献】
【特許文献】
【０００５】
【特許文献１】特開２００７−１３３５２５号公報
【特許文献２】特開２００２−３５１９９１号公報
【発明の概要】
【発明が解決しようとする課題】
【０００６】
上述した従来例１，２の技術では、対象者の食習慣（食嗜好）や、献立作成対象日の季節等に基づいて、献立に使用される食材を定める。しかしながら、対象者の食事を用意する者が、現実に、定められた食材を簡単に用意できるとは限らない。すなわち、対象者の食事を用意する者が通常買い物をする店舗等に、当該定められた食材が買い物の際に用意されているとは限らない。このため、提供された献立を実現するために、多くの労力を投入しなければならない事態が発生する場合があった。
【０００７】
こうした事態は、１回の食事の献立に関しても発生し得る。ましてや、従来例１，２の技術のように、少なくとも１日分の献立が提供される場合には、例えば１日分の食事（通常は、朝食、昼食及び夕食の３食）の献立という複数回の食事の献立が提供される場合には、当該事態が発生する可能性が高まることになってしまう。
【０００８】
ところで、自身の健康増進に興味のある者（以下、「対象者」ともいう）の家庭における食事を日常的に用意する者（以下、「用意者」（対象者自身である場合もある）ともいう）は、通常、簡易に実現できる献立による食事を、当該対象者の食嗜好や栄養バランスを考慮しつつ用意する。しかしながら、例えば、対象者が家庭以外の会社等への通勤を行う勤務者であって、昼食を例えばコンビニエンスストアで販売されている弁当や補助食品に頼る場合の当該昼食には、当該考慮が十分にはなされない場合が多い。かといって、当該勤務者が、当該考慮が十分にはなされた弁当を持参するようにするには、当該弁当等を用意するための少なくない負担が、用意者にかかることになってしまう。
【０００９】
また、勤務日の昼食以外の主に家庭で摂る食事については、１週間の平均的な摂取栄養成分量であれば、食品に対する栄養成分情報の取得が容易化されている近年においては、比較的精度良く把握できる。また、対象者の個人情報（年齢、体重、性別等）に応じて推奨される摂取栄養成分量についても、健康情報が様々な態様で取得が可能となっている。さらに、１週間における推奨される摂取栄養成分量を、勤務日の昼食以外の食事で摂取してしまうことは非常に稀であり、勤務日の昼食をコンビニエンスストアで販売されている食品に頼る場合であっても、当該昼食による摂取栄養成分量を調整できれば、１週間における摂取栄養成分量を、推奨される摂取栄養成分量に近づけることができる。
【００１０】
本発明は、上記の事情を鑑みてなされたものであり、健康増進のために適し、かつ、利用者の現在位置の周辺の店舗で購入可能又は提供サービスを受けることが可能な食品から構成される昼食の献立を対象者に提示することができる健康増進支援システム及び健康増進支援方法を提供することを目的とする。
【課題を解決するための手段】
【００１１】
本発明は、第１の観点からすると、利用者が操作する可搬型通信装置と；複数の店舗で販売又は提供される食品の品揃え情報を管理し、外部との通信が可能な品揃え管理装置と；前記可搬型通信装置及び前記品揃え管理装置との通信が可能な健康増進支援装置と；を備える健康増進支援システムであって、前記可搬型通信装置は、現在位置を検出する位置検出部と；前記健康増進支援装置から受信した推奨献立情報を利用者に提示する提示部と；を備え、前記品揃え情報には、前記複数の店舗のそれぞれの位置情報と、前記複数の店舗のそれぞれで販売又は提供される複数の食品と、前記複数の食品の栄養成分とが含まれ、前記健康増進支援装置は、利用者が当日の昼食により摂取することが推奨される栄養成分に関連する情報が記憶される記憶部と；前記可搬型通信装置からの現在位置を指定した支援要求を受信した場合に、前記可搬型通信装置の現在位置の周辺の店舗の品揃え情報を、前記品揃え管理装置から取得する取得部と；前記関連する情報を参照して算出される前記推奨される栄養成分と、前記取得された品揃え情報とに基づいて推奨献立情報を生成し、前記生成された推奨献立情報を前記可搬型通信装置へ送信する生成部と；を備える、ことを特徴とする健康増進支援システムである。
【００１２】
この健康増進支援システムでは、健康増進支援装置の取得部が、可搬型通信装置からの現在位置を指定した支援要求を受信した場合に、可搬型通信装置の現在位置の周辺の店舗の品揃え情報を品揃え管理装置から取得する。引き続き、生成部が、記憶部に記憶されている利用者が当日の昼食により摂取することが推奨される栄養成分に関連する情報と、取得された品揃え情報とに基づいて推奨献立情報を生成する。そして、生成部が、生成された推奨献立情報を可搬型通信装置へ送信する。この結果、当日の昼食に関する推奨献立が、可搬型通信装置における提示部により利用者（対象者）に提示される。
【００１３】
したがって、本発明の健康増進支援システムによれば、健康増進のために適し、かつ、利用者の現在位置の周辺の店舗で購入可能な食品から構成される昼食の献立を利用者に提示することができる。
【００１４】
本発明の健康増進支援システムでは、前記可搬型通信装置は、前記推奨献立情報を参照した利用者が当日の昼食で外食した食品を前記健康増進支援装置へ送信し、前記関連する情報には、当日を含む１週間における昼食を外食とする予定の昼食外食予定日数に応じて定まる週間推奨栄養成分が含まれ、前記生成部は、前記週間推奨栄養成分から、前記１週間において前記当日の前日までに昼食外食により摂取した食品の栄養成分を差し引いた差分栄養成分に基づいて、前記推奨される栄養成分を算出する、という構成とすることができる。
【００１５】
この場合には、可搬型通信装置が、推奨献立情報を参照した利用者が当日の昼食で外食した食品の情報を健康増進支援装置へ送信する。また、上述した関連する情報には、当日を含む１週間における昼食を外食とする予定の昼食外食予定日数に応じて定まる週間推奨栄養成分が含まれるようになっている。そして、生成部が、上述した週間推奨栄養成分から、当該１週間において当日の前日までに昼食外食により摂取した食品の栄養成分を差し引いた差分栄養成分に基づいて、当日の昼食により摂取することが推奨される栄養成分を算出する。例えば、生成部は、当該１週間の当日を含む残日数で、差分栄養成分を除算することにより、当日の昼食により摂取することが推奨される栄養成分を算出するようにすることができる。このため、上述したように、容易に、かつ、比較的精度良く平均的な摂取栄養成分を把握できる１週間という生活リズムの基本的な期間において、勤務日の昼食をコンビニエンスストアで販売されている食品又はファミリーレストラン等の外食用店舗で提供される食品に頼る場合であっても、当該昼食による摂取栄養成分を適切に調整することができる。
【００１６】
ここで、前記生成部は、前記週間推奨栄養成分、及び、前記１週間で昼食外食により実際に摂取した食品の栄養成分の合計を、前記可搬型通信装置へ送信する、という構成とすることができる。この場合には、利用者は、可搬型通信装置の提示部を参照することにより、週間推奨栄養成分と、直近の１週間で昼食外食により実際に摂取した食品の栄養成分の合計とを知ることにより、当該直近の１週間で過剰に摂取した栄養成分及び不足した栄養成分を定量的に把握することができる。
【００１７】
また、本発明の健康増進支援システムでは、前記関連する情報には、利用者の年齢、体重及び性別が含まれる、という構成とすることができる。この場合には、利用者の属性に合わせて、当日の昼食に関する推奨献立を生成することができる。
【００１８】
なお、当該関連する情報には、利用者の年齢、体重及び性別に加えて、既往症の種類や、健康診断の結果等が含まれるようにすることができる。
【００１９】
また、本発明の健康増進支援システムでは、前記可搬型通信装置が、利用者により指定された店舗の情報を前記健康増進支援装置へ送信し、前記生成部が、前記指定された店舗で販売又は提供されている食品の範囲内で、前記推奨献立情報を生成する、という構成とすることができる。この場合には、今回の昼食用の食品を調達するための店舗が限定されるので、利用者の利便性が向上する。例えば、利用者が１つの店舗を指定した場合には、当該店舗で調達できる食品の範囲内で推奨献立情報が生成されるので、利用者は、複数の店舗を巡ることなく、推奨献立を実現するための食品を調達することができる。
【００２０】
また、本発明の健康増進支援システムでは、前記可搬型通信装置が、利用者により指定された外食食品候補の情報を前記健康増進支援装置へ送信し、前記生成部が、前記指定された外食食品候補を優先して、前記推奨献立情報を生成する、という構成とすることができる。この場合には、利用者の食物への当日の嗜好性を尊重しつつ、外食食品候補では摂取しきれない栄養成分を補完可能な推奨献立情報を生成することができる。
【００２１】
ここで、前記生成部が、前記品揃え管理装置から取得した前記現在位置の周辺の店舗の品揃え情報を、前記可搬型通信装置へ送信し、前記外食食品候補の指定は、前記送信された品揃え情報を参照した利用者により行われる、という構成とすることができる。この場合には、利用者は、実際に店舗へ出向くことなく、外食食品候補の指定を行うことができる。
【００２２】
また、前記外食食品候補の指定が、利用者が訪問した店舗において行われる、という構成とすることができる。この場合には、利用者は、食品の現物を確認したうえで、外食食品候補の指定を行うことができる。
【００２３】
ここで、前記可搬型通信装置が、撮影部を更に備え、前記外食食品候補の指定は、前記撮影部による撮影結果に基づいて行われる、という構成とすることができる。この場合には、外食食品候補の全体像の撮影画像、又は、外食食品候補に付されているバーコード等の食品コードのコード化表示の撮影画像に基づいて外食食品候補の指定を行うことができるので、食品コード等のデータを人手により打ち込む必要がないため、簡易に外食食品候補の指定を行うことができる。
【００２４】
なお、外食食品候補の全体像の撮影画像による指定に際しては、当該撮影画像のデータを受信した生成部が、画像認識の手法を用いて、指定された外食食品候補を特定するようにすることができる。また、バーコード等の撮影画像による指定に際しては、当該バーコード等のデコードを、可搬型通信装置において行うようにしてもよいし、バーコード等の撮影画像を受信した生成部において行うようにしてもよい。
【００２５】
本発明は、第２の観点からすると、利用者が操作する可搬型通信装置と；複数の店舗で販売、又は提供される食品の品揃え情報を管理し、外部との通信が可能な品揃え管理装置と；前記可搬型通信装置及び前記品揃え管理装置との通信が可能な健康増進支援装置と；を備える健康増進支援システムにおいて使用される健康増進支援方法であって、前記可搬型通信装置からの現在位置を指定した支援要求を受信した場合に、前記健康増進支援装置が、前記可搬型通信装置の現在位置の周辺の店舗の品揃え情報を、前記品揃え管理装置から取得する取得工程と；前記取得された品揃え情報と、当日に摂取することが推奨される栄養成分とに基づいて、前記健康増進支援装置が、推奨献立情報を生成し、前記生成された推奨献立情報を前記可搬型通信装置へ送信する生成工程と；を備える、ことを特徴とする健康増進支援方法である。
【００２６】
この健康増進支援方法では、取得工程において、可搬型通信装置からの現在位置を指定した支援要求を受信した場合に、健康増進支援装置が、可搬型通信装置の現在位置の周辺の店舗の品揃え情報を、品揃え管理装置から取得する。引き続き、生成工程において、取得された品揃え情報と、当日に摂取することが推奨される栄養成分とに基づいて、健康増進支援装置が、推奨献立情報を生成し、生成された推奨献立情報を可搬型通信装置へ送信する。
【００２７】
したがって、本発明の健康増進支援方法によれば、健康増進のために適し、かつ、利用者の現在位置の周辺の店舗で購入可能な食品から構成される昼食の献立を利用者に提示することができる。
【発明の効果】
【００２８】
以上説明したように、本発明の健康増進支援システム及び健康増進支援方法によれば、健康増進のために適し、かつ、利用者の現在位置の周辺の店舗で購入可能な食品から構成される昼食の献立を利用者に提示することができるという効果を奏する。
【図面の簡単な説明】
【００２９】
【図１】本発明の第１実施形態に係る健康増進支援システムの構成を概略的に示す図である。
【図２】図１の可搬型通信装置の構成を示す図である。
【図３】図１の品揃え管理装置の構成を示す図である。
【図４】図３の品揃え管理情報の内容を説明するための図である。
【図５】図１の健康増進支援装置の構成を示す図である。
【図６】図５の推奨栄養成分関連情報の内容を説明するための図である。
【図７】図５の処理制御ユニットによる初期情報の登録処理を説明するためのフローチャートである。
【図８】図５の処理制御ユニットによる週初情報の登録処理を説明するためのフローチャートである。
【００３０】
【図９】図５の処理制御ユニットによる日次処理を説明するためのフローチャートである。
【図１０】図９の推奨献立作成処理を説明するためのフローチャートである。
【図１１】図９の食後更新処理を説明するためのフローチャートである。
【図１２】日次処理時に、第１実施形態の要素間で授受される情報を説明するための図である。
【図１３】本発明の第２実施形態に係る健康増進支援システムの構成を概略的に示す図である。
【図１４】図１３の可搬型通信装置の構成を示す図である。
【図１５】図１３の品揃え管理情報の内容を説明するための図である。
【図１６】図１３の健康増進支援装置の構成を示す図である。
【００３１】
【図１７】図１６の処理制御ユニットによる日次処理を説明するためのフローチャートである。
【図１８】日次処理時に、第２実施形態の要素間で授受される情報を説明するための図である。
【図１９】本発明の第３実施形態に係る健康増進支援システムの構成を概略的に示す図である。
【図２０】図１９の可搬型通信装置の構成を示す図である。
【図２１】図１９の健康増進支援装置の構成を示す図である。
【図２２】図２１の処理制御ユニットによる推奨献立作成処理を説明するためのフローチャートである。
【図２３】日次処理時に、第３実施形態の要素間で授受される情報を説明するための図である。
【発明を実施するための形態】
【００３２】
以下、本発明の実施形態を、図面を参照して説明する。なお、図面において、同一又は同等の要素には同一の符号を付し、重複する説明は省略する。
【００３３】
［第１実施形態］
まず、本発明の第１実施形態について、図１〜図１２を参照して説明する。
【００３４】
＜構成＞
図１には、第１実施形態に係る健康増進支援システム６００Ａの概略的な構成が示されている。この図１に示されるように、健康増進支援システム６００Ａは、スマートフォン等の可搬型通信装置１００Ａ1，１００Ａ2，…と、品揃え管理装置２００Ａと、健康増進支援装置３００Ａとを備えている。これらの可搬型通信装置１００Ａj（ｊ＝１，２，…）、品揃え管理装置２００Ａ及び健康増進支援装置３００Ａは、通信ネットワーク５００に接続されている。
【００３５】
なお、第１実施形態では、可搬型通信装置１００Ａjと健康増進支援装置３００Ａとの間で、通信ネットワーク５００を介した通信が行われるようになっている。また、品揃え管理装置２００Ａと健康増進支援装置３００Ａとの間で、通信ネットワーク５００を介した通信が行われるようになっている。
【００３６】
上記の可搬型通信装置１００Ａjは、利用者が携帯する通信装置である。図１には、可搬型通信装置１００Ａjの周辺領域ＲＧj内に店舗ＳＨＰj1，店舗ＳＨＰj2，…が存在する例が示されている。ここで、「周辺領域ＲＧj」とは、第１実施形態では、可搬型通信装置１００Ａjの現在位置から所定距離（例えば、１ｋｍ）以内の領域をいうようになっている。
【００３７】
なお、店舗ＳＨＰjk（ｋ＝１，２，…）には、店舗管理装置４００jkが配置されている。この店舗管理装置４００jkは、通信ネットワーク５００を介して品揃え管理装置２００Ａと通信可能となっている。以下、店舗ＳＨＰjkは、コンビニエンスストア等の食品を販売する店舗であるものとする。
【００３８】
店舗管理装置４００jkは、店舗ＳＨＰjkの商品の在庫を管理する。そして、入荷や販売等により各商品の在庫量が変化すると、変化後の在庫情報を品揃え管理装置２００Ａへ報告する。この結果、品揃え管理装置２００Ａは、店舗ＳＨＰjkのそれぞれにおける商品の在庫を把握し、管理することができるようになっている。
【００３９】
《可搬型通信装置１００Ａjの構成》
可搬型通信装置１００Ａjは、図２に示されるように、処理制御ユニット１１０Ａと、記憶ユニット１２０とを備えている。また、可搬型通信装置１００Ａjは、入力ユニット１３０と、位置検出ユニット１４０とを備えている。さらに、可搬型通信装置１００Ａjは、音出力ユニット１６０と、表示ユニット１７０と、無線通信ユニット１８０とを備えている。
【００４０】
上記の処理制御ユニット１１０Ａは、可搬型通信装置１００Ａjの全体を統括制御する。この処理制御ユニット１１０Ａの詳細については、後述する。
【００４１】
上記の記憶ユニット１２０は、不揮発性の記憶素子を備えて構成されている。この記憶ユニット１２０には、可搬型通信装置１００Ａjで利用される様々な情報データが記憶される。記憶ユニット１２０には、処理制御ユニット１１０Ａがアクセス可能となっている。
【００４２】
上記の入力ユニット１３０は、ストロークデバイスとしてのキー部、ポインティングデバイスとしてのマウス等を備えて構成されている。ここで、キー部としては、表示ユニット１７０の表示デバイスに設けられたタッチパネルを用いることができる。なお、キー部を有する構成に代えて、又は併用して、音声認識技術を利用して、音声にて入力する構成を採用することもできる。入力ユニット１３０への入力結果は、入力データとして、処理制御ユニット１１０Ａへ送られる。
【００４３】
なお、利用者は、入力ユニット１３０を介して、処理制御ユニット１１０Ａに対する様々な指定や指令を行うようになっている。
【００４４】
上記の位置検出ユニット１４０は、本実施形態では、ＧＰＳ測位等を行って、可搬型通信装置１００Ａjの現在位置を検出する。位置検出ユニット１４０による検出結果は、処理制御ユニット１１０Ａへ送られる。
【００４５】
上記の音出力ユニット１６０は、スピーカを備えて構成されている。この音出力ユニット１６０は、処理制御ユニット１１０Ａから送られた出力音データを受ける。そして、音出力ユニット１６０は、利用者へ向けて、当該出力音データに対応する音声を出力する。
【００４６】
上記の表示ユニット１７０は、液晶ディスプレイ等の表示デバイスを備えて構成されている。この表示ユニット１７０は、処理制御ユニット１１０Ａから送られた表示画像データを受ける。そして、表示ユニット１７０は、当該表示画像データに対応する画像を表示する。
【００４７】
上記の無線通信ユニット１８０は、処理制御ユニット１１０Ａによる制御のもとで、通信ネットワーク５００を介して、健康増進支援装置３００Ａとの間で通信を行う。すなわち、処理制御ユニット１１０Ａは、無線通信ユニット１８０を利用することにより、健康増進支援装置３００Ａとの間で通信を行うことができるようになっている。
【００４８】
次に、上記の処理制御ユニット１１０Ａについて説明する。処理制御ユニット１１０Ａは、中央処理装置（ＣＰＵ）及びその周辺回路を備えて構成されている。処理制御ユニット１１０Ａが様々なプログラムを実行することにより、可搬型通信装置１００Ａjとしての各種機能が実現されるようになっている。
【００４９】
処理制御ユニット１１０Ａは、入力ユニット１３０から送られた初期設定情報を受けると、当該初期設定情報を、無線通信ユニット１８０を利用して健康増進支援装置３００Ａへ送信する。ここで、初期設定情報には、後述する可搬型通信装置１００Ａjの利用者（利用者ＩＤ＃ｐ）の身体情報ＢＩp、勤務日昼食を除く週間摂取栄養成分ＡＮp及び平均週間昼食外食日数ＡＤpが含まれている。
【００５０】
また、処理制御ユニット１１０Ａは、入力ユニット１３０から送られた週初情報を受けると、当該週初情報を、無線通信ユニット１８０を利用して健康増進支援装置３００Ａへ送信する。ここで、週初情報には、後述する今週昼食外食予定日数ＮＤpが含まれている。
【００５１】
また、処理制御ユニット１１０Ａは、入力ユニット１３０から送られた献立作成処理開始指令を受けると、現在位置を指定した献立作成処理開始要求を生成する。そして、処理制御ユニット１１０Ａは、生成された献立作成処理開始要求を、無線通信ユニット１８０を利用して健康増進支援装置３００Ａへ送信する。
【００５２】
また、処理制御ユニット１１０Ａは、献立作成処理開始要求に応答した健康増進支援装置３００Ａから送信された周辺店舗位置情報を、無線通信ユニット１８０を介して受信すると、当該周辺店舗位置情報に含まれる店舗の位置を利用者に提示するための表示画像データ及び出力音データを生成する。そして、処理制御ユニット１１０Ａは、生成された表示画像データを表示ユニット１７０へ送るとともに、生成された出力音データを音出力ユニット１６０へ送る。この結果、可搬型通信装置１００Ａjの周辺領域ＲＧjに存在する店舗の位置が、表示ユニット１７０及び音出力ユニット１６０により利用者に提示される。
【００５３】
こうして提示された周辺店舗位置情報に含まれる店舗の中から利用者が選択した店舗の指定を入力ユニット１３０から受けると、処理制御ユニット１１０Ａは、当該店舗の指定を行うための店舗指定情報を生成する。そして、処理制御ユニット１１０Ａは、生成された店舗指定情報を、無線通信ユニット１８０を利用して健康増進支援装置３００Ａへ送信する。
【００５４】
また、処理制御ユニット１１０Ａは、店舗指定情報を受信した健康増進支援装置３００Ａから送信された指定店舗品揃え情報を、無線通信ユニット１８０を介して受信すると、当該指定店舗品揃え情報に含まれる指定店舗の品揃えを利用者に提示するための表示画像データ及び出力音データを生成する。そして、処理制御ユニット１１０Ａは、生成された表示画像データを表示ユニット１７０へ送るとともに、生成された出力音データを音出力ユニット１６０へ送る。この結果、指定店舗における食品（食品コード（後述する、大分類ＬＣbc及び小分類ＳＣbc,dとの組み合わせ）が付与されている）の品揃えが、表示ユニット１７０及び音出力ユニット１６０により利用者に提示される。
【００５５】
こうして提示された指定店舗における食品の品揃えの中から、本日の昼食の献立に優先的に含ませることを利用者が希望する食品コードの指定を入力ユニット１３０から受けると、処理制御ユニット１１０Ａは、当該指定された食品コードを優先指定食品コードとして特定する。そして、処理制御ユニット１１０Ａは、特定された優先指定食品コードを、無線通信ユニット１８０を利用して健康増進支援装置３００Ａへ送信する。引き続き、入力ユニット１３０から優先指定食品指定終了を受けると、処理制御ユニット１１０Ａは、優先指定食品の指定が終了した旨を、無線通信ユニット１８０を利用して健康増進支援装置３００Ａへ送信する。以下、「優先指定食品コード」及び「優先指定食品の指定が終了した旨」を併せて「優先指定食品情報」と呼ぶものとする。
【００５６】
なお、優先指定食品情報には、優先指定食品コードが全く含まれない場合もある。
【００５７】
また、処理制御ユニット１１０Ａは、健康増進支援装置３００Ａから送信された推奨献立情報を、無線通信ユニット１８０を介して受信すると、当該推奨献立情報を利用者に提示するための表示画像データ及び出力音データを生成する。そして、処理制御ユニット１１０Ａは、生成された表示画像データを表示ユニット１７０へ送るとともに、生成された出力音データを音出力ユニット１６０へ送る。この結果、本日の昼食の推奨献立が、表示ユニット１７０及び音出力ユニット１６０により利用者に提示される。
【００５８】
また、処理制御ユニット１１０Ａは、入力ユニット１３０から送られた当日の昼食外食において実際に摂取した食品及び当該食品の摂取量の情報を受けると、当該情報を、実摂取食品情報として、無線通信ユニット１８０を利用して健康増進支援装置３００Ａへ送信する。
【００５９】
第１実施形態では、実摂取食品は、主に、指定店舗において購入した食品、すなわち、個別栄養成分が指定店舗の品揃えの情報に基づいて把握できる食品であることを想定している。なお、実摂取食品に、指定店舗の品揃えの情報に基づいて把握できない食品が含まれている場合には、当該食品からの摂取栄養成分の目安量を、利用者が指定入力するようになっている。
【００６０】
また、処理制御ユニット１１０Ａは、健康増進支援装置３００Ａから送信された週間摂取栄養成分情報を、無線通信ユニット１８０を介して受信すると、当該週間摂取栄養成分情報を利用者に提示するための表示画像データ及び出力音データを生成する。なお、週間摂取栄養成分情報には、後述する週間推奨栄養成分ＷＮp、及び、週間実績栄養成分ＣＮpが含まれている。
【００６１】
引き続き、処理制御ユニット１１０Ａは、生成された表示画像データを表示ユニット１７０へ送るとともに、生成された出力音データを音出力ユニット１６０へ送る。この結果、直近の１週間における昼食外食に関する週間栄養成分の推奨値及び実績値が利用者に提示される。
【００６２】
なお、処理制御ユニット１１０Ａが健康増進支援装置３００Ａへ送信する通信データには、可搬型通信装置１００Ａjを使用している利用者の利用者ＩＤが含まれるようになっている。
【００６３】
《品揃え管理装置２００Ａの構成》
品揃え管理装置２００Ａは、図３に示されるように、処理制御ユニット２１０Ａと、記憶ユニット２２０と、外部通信ユニット２３０とを備えている。
【００６４】
上記の処理制御ユニット２１０Ａは、品揃え管理装置２００Ａを統括制御する。この処理制御ユニット２１０Ａについては、後述する。
【００６５】
上記の記憶ユニット２２０は、固定ディスク装置等の記憶装置を備えて構成されている。この記憶ユニット２２０には、品揃え管理装置２００Ａにおいて利用される様々な情報データが記録される。こうした情報データには、品揃え管理情報ＧＭＩが含まれている。記憶ユニット２２０には、処理制御ユニット２１０Ａがアクセス可能となっている。
【００６６】
なお、品揃え管理情報ＧＭＩの詳細については、後述する。
【００６７】
上記の外部通信ユニット２３０は、処理制御ユニット２１０Ａによる制御のもとで、ネットワーク５００を介して、健康増進支援装置３００Ａ及び店舗管理装置４００jkとの間で通信を行う。すなわち、処理制御ユニット２１０Ａは、外部通信ユニット２３０を利用することにより、健康増進支援装置３００Ａ及び店舗管理装置４００jkとの間で通信を行うことができるようになっている。
【００６８】
次に、上記の処理制御ユニット２１０Ａについて説明する。この処理制御ユニット２１０Ａは、ＣＰＵ及びその周辺回路を備えて構成されている。処理制御ユニット２１０Ａが様々なプログラムを実行することにより、品揃え管理装置２００Ａとしての各種機能が実現されるようになっている。
【００６９】
処理制御ユニット２１０Ａは、店舗管理装置４００jkから送信された店舗ＳＨＰjkにおける在庫情報を、外部通信ユニット２３０を介して受信する。そして、処理制御ユニット２１０Ａは、受信した在庫情報に基づいて、品揃え管理情報ＧＭＩを更新する。
【００７０】
また、処理制御ユニット２１０Ａは、健康増進支援装置３００Ａから送信された品揃え情報要求を、外部通信ユニット２３０を介して受信する。ここで、当該品揃え情報要求には、可搬型通信装置１００Ａjの現在位置が含まれている。
【００７１】
品揃え情報要求を受けると、処理制御ユニット２１０Ａは、当該品揃え情報要求に含まれる現在位置に基づいて、品揃え管理情報ＧＭＩを参照して、可搬型通信装置１００Ａjの現在位置の周辺領域ＲＧjに存在する店舗ＳＨＰjkを抽出する。引き続き、処理制御ユニット２１０Ａは、抽出された店舗ＳＨＰjkにおける品揃え情報及び位置を、周辺店舗品揃え情報として、外部通信ユニット２３０を利用して健康増進支援装置３００Ａへ送信する。
【００７２】
なお、品揃え管理装置２００Ａが健康増進支援装置３００Ａへ送信する通信データには、対応する利用者の利用者ＩＤが含まれるようになっている。
【００７３】
（品揃え管理情報ＧＭＩ）
ここで、上記の品揃え管理情報ＧＭＩについて説明する。
【００７４】
品揃え管理情報ＧＭＩは、図４に示されるように、店舗識別子ＳＩＤa（ａ＝１，２，…）に関連付けて、店舗位置ＳＰＳa及び品揃え情報が登録されている。ここで、品揃え情報としては、大分類ＬＣbc（ｂ＝１，２，…；ｃ＝１，２，…）及び小分類ＳＣbc,d（ｄ＝１，２，…）の組み合わせで特定される食品ごとに関連付けて、栄養成分ＮＣbc,d、外観の画像ＩＭbc,d及び在庫数Ｎbc,dが登録されている。
【００７５】
なお、大分類ＬＣbcの例としては、「弁当」、「おむすび」、「パン」、「おかず」等が挙げられる。また、小分類ＳＣbc,dの例としては、大分類ＬＣbcが「弁当」の場合における「鮭」、「ハンバーグ」、「とんかつ」等が挙げられる。
【００７６】
《健康増進支援装置３００Ａの構成》
健康増進支援装置３００Ａは、図５に示されるように、処理制御ユニット３１０Ａと、記憶ユニット３２０と、外部通信ユニット３３０とを備えている。
【００７７】
上記の処理制御ユニット３１０Ａは、健康増進支援装置３００Ａの全体を統括制御する。この処理制御ユニット３１０Ａは、ＣＰＵ及びその周辺回路を備えて構成され、様々なプログラムを実行することにより、健康増進支援装置３００Ａとしての機能を実現させるための健康増進支援処理を行うようになっている。
【００７８】
なお、処理制御ユニット３１０Ａが実行する健康増進支援処理の詳細については、後述する。
【００７９】
上記の記憶ユニット３２０は、固定ディスク装置等の記憶装置を備えて構成されている。この記憶ユニット３２０には、健康増進支援装置３００Ａにおいて利用される様々な情報データが記録される。こうした情報データには、推奨栄養成分関連情報ＮＲＩが含まれている。記憶ユニット３２０には、処理制御ユニット３１０Ａがアクセス可能となっている。
【００８０】
なお、推奨栄養成分関連情報ＮＲＩの詳細については、後述する。
【００８１】
上記の外部通信ユニット３３０は、処理制御ユニット３１０Ａによる制御のもとで、ネットワーク５００を介して、可搬型通信装置１００Ａj及び品揃え管理装置２００Ａとの間で通信を行う。すなわち、処理制御ユニット３１０Ａは、外部通信ユニット３３０を利用することにより、可搬型通信装置１００Ａj及び品揃え管理装置２００Ａとの間で通信を行うことができるようになっている。
【００８２】
なお、処理制御ユニット３１０Ａが品揃え管理装置２００Ａへ送信する通信データには、対応する利用者の利用者ＩＤが含まれるようになっている。
【００８３】
（推奨栄養成分関連情報ＮＲＩ）
ここで、上記の推奨栄養成分関連情報ＮＲＩについて説明する。推奨栄養成分関連情報ＮＲＩには、図６に示されるように、利用者別情報と、共通情報とが含まれている。
【００８４】
上記の利用者別情報には、利用者ＩＤ＃ｐ（ｐ＝１，２，…）の情報が含まれている。この利用者ＩＤ＃ｐ（ｐ＝１，２，…）の情報には、身体情報ＢＩpと、週間栄養成分ＲＮpと、昼食外食を除く平均週間摂取栄養成分ＡＮp（以下、「栄養成分ＡＮp」とも記す）と、平均週間昼食外食日数ＡＤpとが含まれている。また、利用者ＩＤ＃ｐの情報には、今週昼食外食予定日数ＮＤpと、週間推奨栄養成分ＷＮpと、週間実績栄養成分ＣＮpと、週間昼食外食の残日数ＲＤp（以下、「残日数ＲＤp」とも記す）とが含まれている。
【００８５】
ここで、身体情報ＢＩpには、利用者ＩＤ＃ｐの利用者の年齢、体重及び性別が必須項目として含まれる。また、身体情報ＢＩpには、当該利用者の既往症の種類や、健康診断の結果等を含ませることができるようになっている。こうした身体情報ＢＩpは、利用者が使用する可搬型通信装置１００Ａjから、初期情報の一つとして、利用者の指定に応じて提供されるようになっている。
【００８６】
週間栄養成分ＲＮpは、身体情報ＢＩpの内容に対応して定まる１週間における必要な栄養成分の量の目安である。かかる週間栄養成分ＲＮpは、身体情報ＢＩpの内容に基づいて処理制御ユニット３１０Ａにより算出されるようになっている。
【００８７】
なお、「１週間」は、利用者の生活習慣から定まる曜日を初日とする７日間（例えば、日曜日を初日とする７日間）をいう。また、「栄養成分」には、エネルギ（いわゆる「カロリー」）、タンパク質、脂質、炭水化物、食塩相当量等が含まれる。
【００８８】
栄養成分ＡＮpは、１週間において昼食外食を除く食事により摂取する栄養成分の量の平均値である。かかる栄養成分ＡＮpは、利用者が使用する可搬型通信装置１００Ａjから、初期情報の他の一つとして、利用者の指定に応じて提供されるようになっている。
【００８９】
平均週間昼食外食日数ＡＤpは、利用者の生活習慣から定まる１週間において利用者が昼食外食をする日数の平均値の目安である。かかる平均週間昼食外食日数ＡＤpは、利用者が使用する可搬型通信装置１００Ａjから、初期情報の別の一つとして、利用者の指定に応じて提供されるようになっている。
【００９０】
今週昼食外食予定日数ＮＤpは、今後の１週間において昼食外食をする予定日数であり、当該１週間における休日の日数等により定まる。かかる今週昼食外食予定日数ＮＤpは、利用者が使用する可搬型通信装置１００Ａjから、週初情報として、利用者の指定に応じて提供されるようになっている。
【００９１】
週間推奨栄養成分ＷＮpは、昼食外食をする当日が含まれる１週間において利用者が摂取することが推奨される栄養成分の量である。かかる週間推奨栄養成分ＷＮpは、週間栄養成分ＲＮp、平均週間昼食外食日数ＡＤp及び今週昼食外食予定日数ＮＤpに基づいて、処理制御ユニット３１０Ａにより算出されるようになっている。
【００９２】
週間実績栄養成分ＣＮpは、昼食外食をする当日が含まれる１週間において利用者が実際に摂取した栄養成分の累積量である。かかる週間実績栄養成分ＣＮpは、利用者が使用する可搬型通信装置１００Ａjから送信された、上述した当日の昼食外食において実際に摂取した食品の情報に基づいて、処理制御ユニット３１０Ａにより算出されるようになっている。
【００９３】
残日数ＲＤpは、昼食外食をする当日が含まれる１週間において、昼食外食をする予定の残りの日数である。残日数ＲＤpは、処理制御ユニット３１０Ａにより算出されるようになっている。
【００９４】
上記の共通情報には、予め用意された週間栄養成分算出式＃ｑ（ｑ＝１，２，…）が含まれている。こうして複数の算出式を用意しておくのは、身体情報ＢＩpの内容に応じて、適切な週間栄養成分ＲＮpを算出するため算出式を選択するためである。なお、不図示ではあるが、共通情報には、身体情報ＢＩpの内容のパターンと、選択すべき算出式との対応情報が更に含まれている。
【００９５】
＜動作＞
次に、上記のように構成された健康増進支援システム６００Ａの動作について、健康増進支援装置３００Ａの処理制御ユニット３１０Ａが実行する健康増進支援処理に主に着目して説明する。ここで、健康増進支援処理には、利用者ごとの初期情報の登録処理、週初情報の登録処理及び日次処理が含まれている。処理制御ユニット３１０Ａは、これらの処理を並行して実行するようになっている。
【００９６】
なお、以下の説明では、利用者ＩＤ＃ｐの利用者が可搬型通信装置１００jを使用するものとする。
【００９７】
《初期情報の登録処理》
まず、処理制御ユニット３１０Ａが実行する初期情報の登録処理について説明する。
【００９８】
初期情報の登録処理に際しては、図７に示されるように、まず、ステップＳ１１において、処理制御ユニット３１０Ａが、身体情報ＢＩpを受信したか否かを判定する。ステップＳ１１における判定の結果が否定的であった場合（ステップＳ１１：Ｎ）には、処理は、後述するステップＳ１３へ進む。
【００９９】
ステップＳ１１における判定の結果が肯定的であった場合（ステップＳ１１：Ｙ）には、処理はステップＳ１２へ進む。このステップＳ１２では、処理制御ユニット３１０Ａが、まず、記憶ユニット３２０における推奨栄養成分関連情報ＮＲＩ内の身体情報ＢＩpの登録内容を、新たに受信した身体情報ＢＩpに更新する。
【０１００】
引き続き、処理制御ユニット３１０Ａは、週間栄養成分ＲＮpの算出を行う。かかる週間栄養成分ＲＮpの算出に際して、処理制御ユニット３１０Ａは、まず、身体情報ＢＩpの登録内容に基づいて、推奨栄養成分関連情報ＮＲＩ内の共通情報における上述した対応情報を参照し、週間栄養成分ＲＮpを算出するための算出式を特定する。引き続き、処理制御ユニット３１０Ａは、身体情報ＢＩpに登録内容に基づき、特定された算出式を利用して新たな週間栄養成分ＲＮpを算出する。
【０１０１】
こうして新たな週間栄養成分ＲＮpが算出されると、処理制御ユニット３１０Ａは、記憶ユニット３２０における推奨栄養成分関連情報ＮＲＩ内の週間栄養成分ＲＮpの登録内容を、新たな週間栄養成分ＲＮpに更新する。そして、処理はステップＳ１３へ進む。
【０１０２】
ステップＳ１３では、処理制御ユニット３１０Ａが、栄養成分ＡＮpを受信したか否かを判定する。ステップＳ１３における判定の結果が否定的であった場合（ステップＳ１３：Ｎ）には、処理は、後述するステップＳ１５へ進む。
【０１０３】
ステップＳ１３における判定の結果が肯定的であった場合（ステップＳ１３：Ｙ）には、処理はステップＳ１４へ進む。このステップＳ１４では、処理制御ユニット３１０Ａが、記憶ユニット３２０における推奨栄養成分関連情報ＮＲＩ内の栄養成分ＡＮpの登録内容を、新たに受信した栄養成分ＡＮpに更新する。そして、処理はステップＳ１５へ進む。
【０１０４】
ステップＳ１５では、処理制御ユニット３１０Ａが、平均週間昼食外食日数ＡＤpを受信したか否かを判定する。ステップＳ１５における判定の結果が否定的であった場合（ステップＳ１５：Ｎ）には、処理はステップＳ１１へ戻る。
【０１０５】
ステップＳ１５における判定の結果が肯定的であった場合（ステップＳ１５：Ｙ）には、処理はステップＳ１６へ進む。このステップＳ１６では、処理制御ユニット３１０Ａが、記憶ユニット３２０における推奨栄養成分関連情報ＮＲＩ内の平均週間昼食外食日数ＡＤpの登録内容を、新たに受信した平均週間昼食外食日数ＡＤpに更新する。そして、処理はステップＳ１１へ戻る。
【０１０６】
以後、ステップＳ１１〜Ｓ１６の処理が繰り返される。この結果、身体情報ＢＩp、栄養成分ＡＮp又は平均週間昼食外食日数ＡＤpが受信されるたびに、後述する週次処理の前提となる初期情報の登録処理が行われる。
【０１０７】
《週初情報の登録処理》
次に、処理制御ユニット３１０Ａが実行する週初情報の登録処理について説明する。なお、第１実施形態では、週初情報の登録処理は、通常は、記憶ユニット３２０における推奨栄養成分関連情報ＮＲＩ内の残日数ＲＤpの登録内容が「０」の状態で実行される。
【０１０８】
週初情報の登録処理に際しては、図８に示されるように、まず、ステップＳ２１において、処理制御ユニット３１０Ａが、今週昼食外食予定日数ＮＤpを受信したか否かを判定する。ステップＳ２１における判定の結果が否定的であった場合（ステップＳ２１：Ｎ）には、ステップＳ２１の処理が繰り返される。
【０１０９】
今週昼食外食予定日数ＮＤpを受信し、ステップＳ２１における判定の結果が肯定的となると（ステップＳ２１：Ｙ）、処理はステップＳ２２へ進む。このステップＳ２２では、処理制御ユニット３１０Ａが、記憶ユニット３２０における推奨栄養成分関連情報ＮＲＩ内の今週昼食外食予定日数ＮＤpの登録内容を、新たに受信した今週昼食外食予定日数ＮＤpに更新する。
【０１１０】
次に、ステップＳ２３において、処理制御ユニット３１０Ａが、まず、記憶ユニット３２０内に登録されている上述の週間栄養成分ＲＮp、栄養成分ＡＮp、平均週間昼食外食日数ＡＤp及び今週昼食外食予定日数ＮＤpに基づいて、次の（１）式により、週間推奨栄養成分ＷＮpを算出する。
ＷＮp＝（（ＲＮp−ＡＮp）／ＡＤp）・ＮＤp            …（１）
【０１１１】
引き続き、処理制御ユニット３１０Ａは、記憶ユニット３２０における推奨栄養成分関連情報ＮＲＩ内の週間推奨栄養成分ＷＮpの登録内容を、新たに算出された週間推奨栄養成分ＷＮpに更新する。
【０１１２】
次いで、ステップＳ２４において、処理制御ユニット３１０Ａが、記憶ユニット３２０における推奨栄養成分関連情報ＮＲＩ内の週間実績栄養成分ＣＮpの登録内容を、「０」クリアする。引き続き、ステップＳ２５において、処理制御ユニット３１０Ａが、記憶ユニット３２０における推奨栄養成分関連情報ＮＲＩ内の残日数ＲＤpの登録内容を、新たに受信した今週昼食外食予定日数ＮＤpに初期化する。
【０１１３】
この後、処理はステップＳ２１へ戻る。そして、上述したステップＳ２１〜Ｓ２５の処理が繰り返される。この結果、新たな今週昼食外食予定日数ＮＤpを受信するたびに、週初情報の登録処理が実行される。
【０１１４】
《日次処理》
次に、処理制御ユニット３１０Ａが実行する日次処理について説明する。
【０１１５】
日次処理に際しては、図９に示されるように、まず、ステップＳ３１において、処理制御ユニット３１０Ａが、献立作成処理開始要求を受信したか否かを判定する。ステップＳ３１における判定の結果が否定的であった場合には、ステップＳ３１の処理が繰り返される。
【０１１６】
献立作成処理開始要求を受信し、ステップＳ３１における判定の結果が肯定的となると（ステップＳ３１：Ｙ）、処理はステップＳ３２へ進む。このステップＳ３２では、処理制御ユニット３１０Ａが、新たに受信した献立作成処理開始要求に含まれる現在位置情報を指定した品揃え情報要求を生成する。そして、処理制御ユニット３１０Ａは、生成された品揃え情報要求を品揃え管理装置２００Ａへ送信する。
【０１１７】
なお、品揃え情報要求を受けると、品揃え管理装置２００Ａは、上述したように、当該品揃え情報要求に含まれる現在位置に基づいて、品揃え管理情報ＧＭＩを参照して、当該現在位置の周辺領域ＲＧに存在する店舗を抽出する。そして、品揃え管理装置２００Ａは、抽出された店舗における品揃え情報及び位置を、周辺店舗品揃え情報として、健康増進支援装置３００Ａへ送信する。
【０１１８】
上述したステップＳ３２の処理が終了すると、処理はステップＳ３３へ進む。このステップＳ３３では、処理制御ユニット３１０Ａが、周辺店舗品揃え情報を受信したか否かを判定する。ステップＳ３３における判定の結果が否定的であった場合（ステップＳ３３：Ｎ）には、ステップＳ３３の処理が繰り返される。
【０１１９】
周辺店舗品揃え情報を受信し、ステップＳ３３における判定の結果が肯定的となると（ステップＳ３３：Ｙ）、処理はステップＳ３４へ進む。このステップＳ３４では、処理制御ユニット３１０Ａが、受信した周辺店舗品揃え情報を記憶ユニット３２０内に格納した後、当該周辺店舗品揃え情報に含まれる周辺店舗位置を、周辺店舗位置情報として、献立作成処理開始要求を送信した可搬型通信装置１００Ａjへ送信する。
【０１２０】
なお、周辺店舗位置情報を受信した可搬型通信装置１００Ａjでは、上述したように、周辺店舗位置情報の提示結果を参照した利用者により選択された店舗を指定するため店舗指定情報を生成する。そして、可搬型通信装置１００Ａjは、生成された店舗指定情報を健康増進支援装置３００Ａへ送信する。
【０１２１】
上述したステップＳ３４の処理が終了すると、処理はステップＳ３５へ進む。このステップＳ３５では、処理制御ユニット３１０Ａが、店舗指定情報を受信したか否かを判定する。ステップＳ３５における判定の結果が否定的であった場合（ステップＳ３５：Ｎ）には、ステップＳ３５の処理が繰り返される。
【０１２２】
店舗指定情報を受信し、ステップＳ３５における判定の結果が肯定的となると（ステップＳ３５：Ｙ）、処理はステップＳ３６へ進む。このステップＳ３６では、処理制御ユニット３１０Ａが、受信した店舗指定情報により示される指定店舗の品揃えの情報を特定した後、特定された指定店舗の品揃えの情報を、指定店舗品揃え情報として、店舗指定情報を送信した可搬型通信装置１００Ａjへ送信する。
【０１２３】
なお、指定店舗品揃え情報を受信した可搬型通信装置１００Ａjでは、上述したように、当該指定店舗位置情報に含まれる指定店舗の品揃えが利用者に提示される。そして、提示された指定店舗における食品の品揃えの中から、本日の昼食の献立に優先的に含ませることを利用者が希望する食品の指定が行われると、当該指定された食品の食品コードを優先指定食品コードとして特定される。そして、優先指定食品の指定が終了すると、可搬型通信装置１００Ａjは、特定された優先指定食品コードを含む優先指定食品情報を、健康増進支援装置３００Ａへ送信する。
【０１２４】
なお、上述したように、優先指定食品情報には、優先指定食品コードが全く含まれない場合もある。
【０１２５】
ステップＳ３６の処理が終了すると、処理はステップＳ３７へ進む。このステップＳ３７では、処理制御ユニット３１０Ａが、本日の推奨献立作成処理を実行する。かかる推奨献立作成処理の詳細については、後述する。
【０１２６】
次に、ステップＳ３８において、処理制御ユニット３１０Ａが、本日の昼食外食に関する食後更新処理を行う。かかる食後更新処理の詳細については、後述する。
【０１２７】
ステップＳ３８の処理が終了すると、処理はステップＳ３１へ戻る。以後、ステップＳ３１〜Ｓ３８の処理が繰り返される。
【０１２８】
（ステップＳ３７における推奨献立作成処理）
次いで、ステップＳ３７における推奨献立作成処理について説明する。
【０１２９】
推奨献立作成処理に際しては、図１０に示されるように、まず、ステップＳ４１において、処理制御ユニット３１０Ａが、優先指定食品情報を受信したか否かを判定する。ステップＳ４１における判定の結果が否定的であった場合（ステップＳ４１：Ｎ）には、ステップＳ４１の処理が繰り返される。
【０１３０】
優先指定食品情報を受信し、ステップＳ４１における判定の結果が肯定的となると（ステップＳ４１：Ｙ）、処理はステップＳ４２へ進む。このステップＳ４２では、処理制御ユニット３１０Ａが、本日の昼食外食の推奨献立を作成する。
【０１３１】
かかる推奨献立を作成に際して、処理制御ユニット３１０Ａは、まず、本日の昼食外食により摂取することが推奨される栄養成分の目安値ＴＮpを、記憶ユニット３２０内に登録されている週間推奨栄養成分ＷＮp、週間実績栄養成分ＣＮp及び残日数ＲＤpに基づいて、次の（２）式により算出する。
ＴＮp＝（ＷＮp−ＣＮp）／ＲＤp                    …（２）
【０１３２】
次に、処理制御ユニット３１０Ａは、優先指定食品の栄養成分（優先指定食品が複数ある場合には、複数の優先指定食品の栄養成分の総計）ＰＮpを特定する。引き続き、処理制御ユニット３１０Ａは、特定された優先指定食品の栄養成分ＰＮpと、算出された目安値ＴＮpと比較し、栄養成分ＰＮpにおいて目安値ＴＮpから突出して多くなっている個別栄養成分があるか否かの栄養成分判定を行う。なお、第１実施形態では、処理制御ユニット３１０Ａは、栄養成分判定に際して、栄養成分ＰＮpにおける当該個別栄養成分が目安値ＴＮpにおける当該個別栄養成分が、当該個別栄養成分に対応して予め定められている所定値倍以上となっている過剰個別栄養成分が存在するか否かを判定するようになっている。
【０１３３】
栄養成分判定の結果が否定的であった場合には、処理制御ユニット３１０Ａは、優先指定食品を含み、栄養成分ＰＮpでは不足気味となる個別栄養成分を補充するための食品を、上述したステップＳ３６において特定された指定店舗の品揃えの情報を参照して選択する。そして、処理制御ユニット３１０Ａは、優先指定食品、及び、選択された食品からなる推奨献立を作成する。
【０１３４】
一方、栄養成分判定の結果が肯定的であった場合には、処理制御ユニット３１０Ａは、過剰個別栄養成分となっている主な原因となっている食品を特定する。引き続き、処理制御ユニット３１０Ａは、特定された食品を優先指定食品から除いた修正優先指定食品を求め、修正優先指定食品の栄養成分では不足気味となる個別栄養成分を補充するための食品を、上述した指定店舗の品揃えの情報を参照して選択する。そして、処理制御ユニット３１０Ａは、修正優先指定食品、及び、選択された食品からなる推奨献立を作成する。
【０１３５】
次いで、ステップＳ４３において、処理制御ユニット３１０Ａが、作成された推奨献立を含む推奨献立情報を生成し、生成された推奨献立情報を、優先指定食品情報を送信した可搬型通信装置１００Ａjへ送信する。推奨献立情報の送信が終了すると、ステップＳ３７の推奨献立作成処理が終了する。そして、処理は、上述した図９のステップＳ３８へ進む。
【０１３６】
なお、可搬型通信装置１００Ａjでは、推奨献立情報を受信すると、上述したように、当該推奨献立を利用者に提示される。
【０１３７】
（ステップＳ３８における食後更新処理）
次いで、ステップＳ３８における食後更新処理について説明する。
【０１３８】
なお、可搬型通信装置１００Ａjでは、上述したように、当日の昼食外食において実際に摂取した食品が利用者により指定されると、当該食品の情報を、実摂取食品情報として、健康増進支援装置３００Ａへ送信する。
【０１３９】
食後更新処理に際しては、図１１に示されるように、まず、ステップＳ５１において、処理制御ユニット３１０Ａが、実摂取食品情報を受信したか否かを判定する。ステップＳ５１における判定の結果が否定的であった場合（ステップＳ５１：Ｎ）には、ステップＳ５１の処理が繰り返される。
【０１４０】
実摂取食品情報を受信し、ステップＳ５１における判定の結果が肯定的となると（ステップＳ５１：Ｙ）、処理はステップＳ５２へ進む。このステップＳ５２では、処理制御ユニット３１０Ａが、記憶ユニット３２０内の週間実績栄養成分ＣＮp及び残日数ＲＤpを更新する。
【０１４１】
かかる更新に際して、処理制御ユニット３１０は、まず、受信した実摂取食品情報の栄養成分の総量ＤＡＮpを、指定店舗の品揃えを参照しつつ算出する。引き続き、処理制御ユニット３１０は、算出された総量ＤＡＮp及び記憶ユニット３２０内の週間実績栄養成分ＣＮpに基づいて、次の（３）式により新たな週間実績栄養成分ＣＮpを算出し、記憶ユニット３２０内の週間実績栄養成分ＣＮpを、算出された新たな週間実績栄養成分ＣＮpに更新する。
ＣＮp  ←  ＣＮp＋ＤＡＮp                      …（３）
【０１４２】
次に、処理制御ユニット３１０は、記憶ユニット３２０内の残日数ＲＤpから「１」を減算して、新たな残日数ＲＤpを算出する。そして、処理制御ユニット３１０は、記憶ユニット３２０内の残日数ＲＤpを、算出された新たな残日数ＲＤpに更新する。
【０１４３】
次いで、ステップＳ５３において、処理制御ユニット３１０が、記憶ユニット３２０に登録されている残日数ＲＤpが「０」であるか否かを判定する。ステップＳ５３における判定の結果が否定的であった場合（ステップＳ５３：Ｎ）には、ステップＳ３８の食後更新処理が終了する。そして、処理は、上述した図９のステップＳ３１へ戻る。
【０１４４】
一方、ステップＳ５３における判定の結果が肯定的であった場合（ステップＳ５３：Ｙ）には、処理はステップＳ５４へ進む。このステップＳ５４では、処理制御ユニット３１０Ａが、記憶ユニット３２０内に登録されている週間実績栄養成分ＣＮp及び週間推奨栄養成分ＷＮpを含む週間摂取栄養成分情報を生成する。そして、処理制御ユニット３１０Ａは、生成された週間摂取栄養成分情報を、実摂取食品情報を送信した可搬型通信装置１００Ａjへ送信する。
【０１４５】
こうしてステップＳ５４の処理が終了すると、ステップＳ３８の食後更新処理が終了する。そして、処理は、上述した図９のステップＳ３１へ戻る。
【０１４６】
なお、週間摂取栄養成分情報を受信すると、可搬型通信装置１００Ａjでは、週間摂取栄養成分情報が利用者に提示される。
【０１４７】
なお、図１２には、健康増進支援装置３００Ａにおける日次処理の際に、健康増進支援装置３００Ａと可搬型通信装置１００Ａjとの間、及び、健康増進支援装置３００Ａと品揃え管理装置２００Ａとの間で授受される情報データのシーケンスが示されている。
【０１４８】
以上説明したように、第１実施形態の健康増進支援システム６００Ａでは、健康増進支援装置３００Ａの処理制御ユニット３１０Ａが、外部通信ユニット３３０を介して、可搬型通信装置１００Ａjからの現在位置を指定した献立作成処理開始要求を受信した場合に、外部通信ユニット３３０を利用して、可搬型通信装置１００Ａjの現在位置の周辺の店舗の品揃え情報である周辺店舗品揃え情報を品揃え管理装置２００Ａから取得する。そして、処理制御ユニット３１０Ａが、記憶ユニット３２０に記憶されている利用者が当日の昼食により摂取することが推奨される栄養成分に関連する情報である推奨栄養成分関連情報ＮＲＩにおける登録内容と、取得された周辺店舗品揃え情報とに基づいて推奨献立情報を生成する。そして、処理制御ユニット３１０Ａが、生成された推奨献立情報を可搬型通信装置１００Ａjへ送信する。この結果、当日の昼食に関する推奨献立が、可搬型通信装置１００Ａjにおける音出力ユニット１６０及び表示ユニット１７０により利用者に提示される。
【０１４９】
したがって、第１実施形態の健康増進支援システム６００Ａによれば、健康増進のために適し、かつ、利用者の現在位置の周辺の店舗で購入可能な食品から構成される昼食の献立を利用者に提示することができる。
【０１５０】
また、健康増進支援システム６００Ａでは、可搬型通信装置１００Ａjが、推奨献立情報を参照した利用者が当日の昼食で外食した食品を健康増進支援装置３００Ａへ送信する。また、推奨栄養成分関連情報ＮＲＩには、当日を含む１週間における昼食を外食とする予定の今週昼食外食予定日数ＮＤpに応じて定まる週間推奨栄養成分ＷＮpが含まれている。そして、処理制御ユニット３１０Ａが、週間推奨栄養成分ＷＮpから、当該１週間において当日の前日までに昼食外食により摂取した食品の栄養成分量である週間実績栄養成分ＣＮpを差し引いた差分栄養成分に基づいて、当日の昼食外食により摂取することが推奨される栄養成分の目安値ＴＮpを算出する。このため、容易に、かつ、比較的精度良く平均的な週間栄養成分ＲＮpを把握できる１週間という生活リズムの基本的な期間において、勤務日等の昼食をコンビニエンスストアで販売されている食品に頼る場合であっても、当該昼食による摂取栄養成分量を適切に調整することができる。
【０１５１】
また、健康増進支援装置３００Ａは、週間推奨栄養成分ＷＮp、及び、１週間で昼食外食により実際に摂取した栄養成分の合計を、可搬型通信装置１００Ａjへ送信する。このため、利用者が、当該直近の１週間で過剰に摂取した栄養成分及び不足した栄養成分を定量的に把握することができる。
【０１５２】
また、健康増進支援装置３００Ａにおける推奨栄養成分関連情報ＮＲＩの身体情報ＢＩpには、利用者の年齢、体重及び性別が必須要素として含まれ、既往症の種類や、健康診断の結果等が含ませることができる。このため、利用者の身体的属性に合わせて、当日の昼食に関する推奨献立を作成することができる。
【０１５３】
また、可搬型通信装置１００Ａjが、利用者により指定された店舗の情報を健康増進支援装置３００Ａへ送信し、健康増進支援装置３００Ａが、指定された店舗で販売されている食品の範囲内で、推奨献立情報を生成する。このため、今回の昼食用の食品を調達するための店舗が限定されるので、利用者の利便性が向上する。
【０１５４】
また、可搬型通信装置１００Ａjが、利用者により指定された外食食品候補の情報を健康増進支援装置３００Ａへ送信する。そして、健康増進支援装置３００Ａが、指定された外食食品候補を優先して推奨献立を作成する。この場合には、利用者の食物への当日の嗜好性を尊重しつつ、外食食品候補では摂取しきれない栄養成分を補完可能な推奨献立を作成することができる。
【０１５５】
また、健康増進支援装置３００Ａが、指定店舗品揃え情報を、可搬型通信装置１００Ａjへ送信する。そして、外食食品候補の指定は、指定店舗品揃え情報を参照した利用者により行われる。このため、利用者は、実際に店舗へ出向くことなく、外食食品候補の指定を行うことができる。
【０１５６】
［第２実施形態］
次に、本発明の第２実施形態について、図１３〜図１８を主に参照して説明する。
【０１５７】
＜構成＞
図１３には、第２実施形態に係る健康増進支援システム６００Ｂの概略的な構成が示されている。この図１３示されるように、健康増進支援システム６００Ｂは、可搬型通信装置１００Ｂ1，１００Ｂ2，…と、品揃え管理装置２００Ｂと、健康増進支援装置３００Ｂとを備えている。これらの可搬型通信装置１００Ｂj（ｊ＝１，２，…）、品揃え管理装置２００Ｂ及び健康増進支援装置３００Ｂは、通信ネットワーク５００に接続されている。
【０１５８】
なお、第２実施形態では、可搬型通信装置１００Ｂjは、訪問先の店舗（訪問店舗）ＳＨＰj内で、健康増進支援のための動作を行うようになっている。
【０１５９】
《可搬型通信装置１００Ｂjの構成》
上記の可搬型通信装置１００Ｂjは、図１４に示されるように、上述した可搬型通信装置１００Ａjと比べて、撮影ユニット１５０を更に備える点、及び、処理制御ユニット１１０Ａに代えて処理制御ユニット１１０Ｂを備える点が異なっている。以下、かかる相違点に主に着目して説明する。
【０１６０】
上記の撮影ユニット１５０は、処理制御ユニット１１０Ｂによる制御のもとで、撮影を行う。撮影ユニット１５０による撮影画像は、処理制御ユニット１１０Ｂへ送られる。
【０１６１】
上記の処理制御ユニット１１０Ｂは、中央処理装置（ＣＰＵ）及びその周辺回路を備えて構成されている。処理制御ユニット１１０Ａが様々なプログラムを実行することにより、可搬型通信装置１００Ｂとしての各種機能が実現されるようになっている。
【０１６２】
処理制御ユニット１１０Ｂは、処理制御ユニット１１０Ａの場合と同様に、入力ユニット１３０から送られた初期設定情報を受けると、当該初期設定情報を、無線通信ユニット１８０を利用して健康増進支援装置３００Ｂへ送信する。また、処理制御ユニット１１０Ｂは、処理制御ユニット１１０Ａの場合と同様に、入力ユニット１３０から送られた週初情報を受けると、当該週初情報を、無線通信ユニット１８０を利用して健康増進支援装置３００Ｂへ送信する。また、処理制御ユニット１１０Ｂは、入力ユニット１３０から送られた献立作成処理開始指令を受けると、処理制御ユニット１１０Ａの場合と同様に、現在位置を指定した献立作成処理開始要求を生成し、生成された献立作成処理開始要求を、無線通信ユニット１８０を利用して健康増進支援装置３００Ｂへ送信する。
【０１６３】
また、処理制御ユニット１１０Ｂは、訪問店舗において、利用者による指示に従って、本日の昼食の献立に優先的に含ませることを利用者が希望する食品の食品コードが表されているバーコード等を、撮影ユニット１５０に撮影させる。こうして撮影されたバーコード等を含む画像を受けると、処理制御ユニット１１０Ｂは、当該画像を解析し、バーコード等により表された食品コード、すなわち、優先指定食品コードを、無線通信ユニット１８０を利用して健康増進支援装置３００Ｂへ送信する。引き続き、入力ユニット１３０から優先指定食品指定終了を受けると、処理制御ユニット１１０Ｂは、優先指定食品の指定が終了した旨を、処理制御ユニット１１０Ａの場合と同様に、無線通信ユニット１８０を利用して健康増進支援装置３００Ｂへ送信する。
【０１６４】
また、処理制御ユニット１１０Ｂは、健康増進支援装置３００Ｂから送信された推奨献立情報を、無線通信ユニット１８０を介して受信すると、処理制御ユニット１１０Ａの場合と同様に、当該推奨献立を利用者に提示させる。また、処理制御ユニット１１０Ｂは、入力ユニット１３０から送られた当日の昼食外食において実際に摂取した食品及び当該食品の摂取量の情報を受けると、処理制御ユニット１１０Ａの場合と同様に、当該情報を、実摂取食品情報として、無線通信ユニット１８０を利用して健康増進支援装置３００Ｂへ送信する。また、処理制御ユニット１１０Ｂは、健康増進支援装置３００Ｂから送信された週間摂取栄養成分情報を、無線通信ユニット１８０を介して受信すると、処理制御ユニット１１０Ａの場合と同様に、当該週間摂取栄養成分を利用者に提示させる。
【０１６５】
《品揃え管理装置２００Ｂの構成》
上記の品揃え管理装置２００Ｂは、図１５に示されるように、上述した品揃え管理装置２００Ａと比べて、処理制御ユニット２１０Ａに代えて処理制御ユニット２１０Ｂを備える点が異なっている。以下、かかる相違点に主に着目して説明する。
【０１６６】
上記の処理制御ユニット２１０Ｂは、ＣＰＵ及びその周辺回路を備えて構成されている。処理制御ユニット２１０Ｂが様々なプログラムを実行することにより、品揃え管理装置２００Ｂとしての各種機能が実現されるようになっている。
【０１６７】
処理制御ユニット２１０Ｂは、店舗管理装置４００jから送信された店舗ＳＨＰjにおける在庫情報を、外部通信ユニット２３０を介して受信する。そして、処理制御ユニット２１０Ｂは、処理制御ユニット１１０Ａの場合と同様に、受信した在庫情報に基づいて、品揃え管理情報ＧＭＩを更新する。
【０１６８】
また、処理制御ユニット２１０Ｂは、健康増進支援装置３００Ｂから送信された品揃え情報要求を、外部通信ユニット２３０を介して受信する。処理制御ユニット２１０Ｂは、当該品揃え情報要求に含まれる現在位置に基づいて、品揃え管理情報ＧＭＩを参照して、可搬型通信装置１００Ｂjの現在位置に対応する店舗jを抽出する。引き続き、処理制御ユニット２１０Ｂは、抽出された店舗ＳＨＰjにおける品揃え情報を、訪問店舗品揃え情報として、外部通信ユニット２３０を利用して健康増進支援装置３００Ｂへ送信する。
【０１６９】
《健康増進支援装置３００Ｂの構成》
上記の健康増進支援装置３００Ｂは、図１６に示されるように、上述した健康増進支援装置３００Ａと比べて、処理制御ユニット３１０Ａに代えて処理制御ユニット３１０Ｂを備える点が異なっている。以下、かかる相違点に主に着目して説明する。
【０１７０】
上記の処理制御ユニット３１０Ｂは、ＣＰＵ及びその周辺回路を備えて構成されている。処理制御ユニット３１０Ｂが様々なプログラムを実行することにより、健康増進支援装置３００Ｂとしての各種機能が実現されるようになっている。
【０１７１】
なお、処理制御ユニット３１０Ｂが実行する健康増進支援処理の詳細については、後述する。
【０１７２】
＜動作＞
次に、上記のように構成された健康増進支援システム６００Ｂの動作について、健康増進支援装置３００Ｂの処理制御ユニット３１０Ｂが実行する健康増進支援処理に主に着目して説明する。ここで、健康増進支援処理には、第１実施形態の場合と同様に、利用者ごとの初期情報の登録処理、週初情報の登録処理及び日次処理が含まれている。処理制御ユニット３１０Ｂは、これらの処理を並行して実行するようになっている。
【０１７３】
《初期情報の登録処理》
初期情報の登録処理に際して、処理制御ユニット３１０Ｂは、処理制御ユニット３１０Ａの場合の同様の処理を実行する。すなわち、初期情報の登録処理に際して、処理制御ユニット３１０Ｂは、上述した図７におけるステップＳ１１〜Ｓ１６の処理を実行する。
【０１７４】
《週初情報の登録処理》
週初情報の登録処理に際して、処理制御ユニット３１０Ｂは、処理制御ユニット３１０Ａの場合の同様の処理を実行する。すなわち、初期情報の登録処理に際して、処理制御ユニット３１０Ｂは、上述した図８におけるステップＳ２１〜Ｓ２５の処理を実行する。
【０１７５】
《日次処理》
次に、処理制御ユニット３１０Ｂが実行する週初情報の登録処理について説明する。
【０１７６】
日次処理に際しては、図１７に示されるように、まず、ステップＳ６１において、処理制御ユニット３１０Ｂが、献立作成処理開始要求を受信したか否かを判定する。ステップＳ６１における判定の結果が否定的であった場合（ステップＳ６１：Ｎ）には、ステップＳ６１の処理が繰り返される。
【０１７７】
献立作成処理開始要求を受信し、ステップＳ６１における判定の結果が肯定的となると（ステップＳ６１：Ｙ）、処理はステップＳ６２へ進む。このステップＳ６２では、処理制御ユニット３１０Ｂが、新たに受信した献立作成処理開始要求に含まれる現在位置情報を指定した品揃え情報要求を生成する。そして、処理制御ユニット３１０Ｂは、生成された品揃え情報要求を品揃え管理装置２００Ｂへ送信する。
【０１７８】
なお、品揃え情報要求を受けると、品揃え管理装置２００Ｂは、上述したように、当該品揃え情報要求に含まれる現在位置に基づいて、品揃え管理情報ＧＭＩを参照して、当該現在位置に対応する店舗（訪問店舗）を特定する。そして、品揃え管理装置２００Ｂは、特定された店舗における品揃え情報を、訪問店舗品揃え情報として、健康増進支援装置３００Ｂへ送信する。
【０１７９】
上述したステップＳ６２の処理が終了すると、処理はステップＳ６３へ進む。このステップＳ６３では、処理制御ユニット３１０Ｂが、訪問店舗品揃え情報を受信したか否かを判定する。ステップＳ６３における判定の結果が否定的であった場合（ステップＳ６３：Ｎ）には、ステップＳ６３の処理が繰り返される。
【０１８０】
訪問店舗品揃え情報を受信し、ステップＳ６３における判定の結果が肯定的となると（ステップＳ６３：Ｙ）、処理はステップＳ６４Ｂへ進む。このステップＳ６４Ｂでは、処理制御ユニット３１０Ｂが、上述した図９におけるステップＳ３７の場合と同様の処理を行って、訪問店舗品揃え情報を記憶ユニット３２０内に格納した後、本日の推奨献立作成処理（図１０参照）を実行する。
【０１８１】
なお、ステップＳ６４Ｂの推奨献立作成処理に際して処理制御ユニット３１０Ｂが受信したか否かを判定する優先指定食品情報には、上述したように、バーコード等の画像解析（デコード）結果により特定された優先指定食品の食品コードが含まれるようになっている。
【０１８２】
次に、ステップＳ６５において、処理制御ユニット３１０Ｂが、図９におけるステップＳ３８の場合と同様の処理を行って、本日の昼食外食に関する食後更新処理を行う。ステップＳ６５の処理が終了すると、処理はステップＳ６１へ戻る。以後、ステップＳ６１〜Ｓ６５の処理が繰り返される。
【０１８３】
なお、図１８には、健康増進支援装置３００Ｂにおける日次処理の際に、健康増進支援装置３００Ｂと可搬型通信装置１００Ｂjとの間、及び、健康増進支援装置３００Ｂと品揃え管理装置２００Ｂとの間で授受される情報データのシーケンスが示されている。
【０１８４】
以上説明したように、第２実施形態の健康増進支援システム６００Ｂでは、健康増進支援装置３００Ｂの処理制御ユニット３１０Ｂが、外部通信ユニット３３０を介して、可搬型通信装置１００Ｂjからの現在位置を指定した支援要求を受信した場合に、外部通信ユニット３３０を利用して、可搬型通信装置１００Ｂjの現在位置の周辺の店舗（第２実施形態では、訪問店舗）の品揃え情報である訪問店舗品揃え情報を品揃え管理装置２００Ｂから取得する。そして、処理制御ユニット３１０Ｂが、記憶ユニット３２０に記憶されている利用者が当日の昼食により摂取することが推奨される栄養成分に関連する情報である推奨栄養成分関連情報ＮＲＩにおける登録内容と、取得された訪問店舗品揃え情報とに基づいて推奨献立情報を生成する。そして、処理制御ユニット３１０Ｂが、生成された推奨献立情報を可搬型通信装置１００Ｂjへ送信する。この結果、当日の昼食に関する推奨献立が、可搬型通信装置１００Ｂjにおける音出力ユニット１６０及び表示ユニット１７０により利用者に提示される。
【０１８５】
したがって、第２実施形態の健康増進支援システム６００Ｂによれば、健康増進のために適し、かつ、利用者の現在位置の周辺の店舗で購入可能な食品から構成される昼食の献立を利用者に提示することができる。
【０１８６】
また、健康増進支援システム６００Ｂでは、可搬型通信装置１００Ｂjが、推奨献立情報を参照した利用者が当日の昼食で外食した食品を健康増進支援装置３００Ｂへ送信する。また、推奨栄養成分関連情報ＮＲＩには、当日を含む１週間における昼食を外食とする予定の今週昼食外食予定日数ＮＤpに応じて定まる週間推奨栄養成分ＷＮpが含まれている。そして、処理制御ユニット３１０Ｂが、週間推奨栄養成分ＷＮpから、当該１週間において当日の前日までに昼食外食により摂取した食品の栄養成分量である週間実績栄養成分ＣＮpを差し引いた差分栄養成分に基づいて、当日の昼食外食により摂取することが推奨される栄養成分の目安値ＴＮpを算出する。このため、容易に、かつ、比較的精度良く平均的な週間栄養成分ＲＮpを把握できる１週間という生活リズムの基本的な期間において、勤務日等の昼食をコンビニエンスストアで販売されている食品に頼る場合であっても、当該昼食による摂取栄養成分量を適切に調整することができる。
【０１８７】
また、健康増進支援装置３００Ｂは、週間推奨栄養成分ＷＮp、及び、１週間で昼食外食により実際に摂取した栄養成分の合計を、可搬型通信装置１００Ｂjへ送信する。このため、利用者が、当該直近の１週間で過剰に摂取した栄養成分及び不足した栄養成分を定量的に把握することができる。
【０１８８】
また、健康増進支援装置３００Ｂにおける推奨栄養成分関連情報ＮＲＩの身体情報ＢＩpには、利用者の年齢、体重及び性別が必須要素として含まれ、既往症の種類や、健康診断の結果等が含ませることができる。このため、利用者の身体的属性に合わせて、当日の昼食に関する推奨献立を作成することができる。
【０１８９】
また、可搬型通信装置１００Ｂjが、利用者の指示に従った外食食品候補に付されたバーコード等の撮影を行った後に画像解析を行って、当該外食食品候補の食品コードを特定する。引き続き、可搬型通信装置１００Ｂjが、特定された食品コードを含む食食品候補の情報を健康増進支援装置３００Ｂへ送信する。そして、健康増進支援装置３００Ｂが、指定された外食食品候補を優先して推奨献立を作成する。この場合には、利用者の食物への当日の嗜好性を尊重しつつ、外食食品候補では摂取しきれない栄養成分を補完可能な推奨献立を作成することができる。
【０１９０】
［第３実施形態］
次に、本発明の第３実施形態について、図１９〜図２３を主に参照して説明する。
【０１９１】
＜構成＞
図１９には、第３実施形態に係る健康増進支援システム６００Ｃの概略的な構成が示されている。この図１９示されるように、健康増進支援システム６００Ｃは、上述した健康増進支援システム６００Ｂと比べて、可搬型通信装置１００Ｂ1，１００Ｂ2，…に代えて可搬型通信装置１００Ｃ1，１００Ｃ2，…を備える点、及び、健康増進支援装置３００Ｂに代えて健康増進支援装置３００Ｃを備える点が異なっている。以下、これらの相違点におもに着目して説明する。
【０１９２】
《可搬型通信装置１００Ｃjの構成》
上記の可搬型通信装置１００Ｃjは、図２０に示されるように、上述した可搬型通信装置１００Ｂjと比べて、処理制御ユニット１１０Ｂに代えて処理制御ユニット１１０Ｃを備える点が異なっている。
【０１９３】
上記の処理制御ユニット１１０Ｃは、中央処理装置（ＣＰＵ）及びその周辺回路を備えて構成されている。処理制御ユニット１１０Ｃが様々なプログラムを実行することにより、可搬型通信装置１００Ｃjとしての各種機能が実現されるようになっている。
【０１９４】
処理制御ユニット１１０Ｃが実行する処理は、処理制御ユニット１１０Ｂが実行する処理と比べて、優先指定食品情報に関する処理のみが異なっている。当該優先指定食品情報に関する処理に際して、処理制御ユニット１１０Ｃは、訪問店舗において、利用者による指示に従って、本日の昼食の献立に優先的に含ませることを利用者が希望する食品の外観を、撮影ユニット１５０に撮影させる。こうして撮影された外観画像等を含む画像を受けると、処理制御ユニット１１０Ｃは、当該画像をそのまま、無線通信ユニット１８０を利用して健康増進支援装置３００Ｃへ送信する。引き続き、入力ユニット１３０から優先指定食品指定終了を受けると、処理制御ユニット１１０Ｃは、優先指定食品の指定が終了した旨を、無線通信ユニット１８０を利用して健康増進支援装置３００Ｃへ送信する。第３実施形態では、「優先指定食品の外観画像」及び「優先指定食品の指定が終了した旨」を併せて「優先指定食品情報」と呼ぶものとする。
【０１９５】
《健康増進支援装置３００Ｃの構成》
上記の健康増進支援装置３００Ｃは、図２１に示されるように、上述した健康増進支援装置３００Ｂと比べて、処理制御ユニット３１０Ｂに代えて処理制御ユニット３１０Ｃを備える点が異なっている。
【０１９６】
上記の処理制御ユニット３１０Ｃは、ＣＰＵ及びその周辺回路を備えて構成されている。処理制御ユニット３１０Ｃが様々なプログラムを実行することにより、健康増進支援装置３００Ｃとしての各種機能が実現されるようになっている。
【０１９７】
なお、処理制御ユニット３１０Ｃが実行する健康増進支援処理の詳細については、後述する。
【０１９８】
＜動作＞
次に、上記のように構成された健康増進支援システム６００Ｃの動作について、健康増進支援装置３００Ｃの処理制御ユニット３１０Ｃが実行する健康増進支援処理に主に着目して説明する。ここで、健康増進支援処理には、第２実施形態の場合と同様に、利用者ごとの初期情報の登録処理、週初情報の登録処理及び日次処理が含まれている。
【０１９９】
なお、初期情報の登録処理及び週初情報の登録処理に際して、処理制御ユニット３１０Ｃは、上述した処理制御ユニット３１０Ｂの場合と同様の処理を実行する。
【０２００】
《日次処理》
次に、処理制御ユニット３１０Ｃが実行する週初情報の登録処理について説明する。
【０２０１】
日次処理に際して、処理制御ユニット３１０Ｃは、処理制御ユニット３１０Ｂと比べて、上述した図１７の日次処理におけるステップＳ６４Ｂの推奨献立作成処理に代えて、図２２に示されるステップＳ６４Ｃの推奨献立作成処理を実行する点のみが異なっている。
【０２０２】
かかるステップＳ６４Ｃの推奨献立作成処理に際しては、図２２に示されるように、まず、ステップＳ７１において、処理制御ユニット３１０Ｃが、優先指定食品情報を受信したか否かを判定する。ステップＳ７１における判定の結果は否定的であった場合（ステップＳ７１：Ｎ）には、ステップＳ７１の処理が繰り返される。
【０２０３】
優先指定食品情報を受信し、ステップＳ７１における判定の結果が肯定的となると（ステップＳ７１：Ｙ）、処理はステップＳ７２へ進む。このステップＳ７２では、処理制御ユニット３１０Ｃが、当該優先指定食品情報に含まれる優先指定食品の画像と、指定店舗品揃え情報に含まれる食品画像との比較等の画像解析を行って、優先指定食品の食品コードを特定する。
【０２０４】
次に、ステップＳ７３，Ｓ７４において、上述した図１０におけるステップＳ４２，Ｓ４３と同様の処理を行って、本日の昼食外食の推奨献立を作成した（ステップＳ７３）後、当該作成された推奨献立の情報を、献立推奨献立情報を、外部通信ユニット３３０を利用して、優先指定食品情報を送信した可搬型通信装置１００Ｃjへ送信する（ステップＳ７４）。こうしてステップＳ７４の処理が終了すると、ステップＳ６４Ｃの処理が終了する。
【０２０５】
以上説明したように、第３実施形態の健康増進支援システム６００Ｃによれば、上述した健康増進支援システム６００Ｂの場合の効果を奏することができる。
【０２０６】
［実施形態の変形］
本発明は、上記の実施形態に限定されるものではなく、様々な変形が可能である。
【０２０７】
例えば、上記の第１実施形態では、推奨献立の提示を受けた利用者は、指定店舗を訪問して昼食用の食品を購入することを想定した。これに対し、購入商品の宅配サービスが利用可能な場合には、周辺の領域の大きさを拡大して店舗指定を行ったうえで、購入食品を配達してもらうようにすることができる。
【０２０８】
また、上記の第１〜第３実施形態では、週初情報の登録処理により登録された今週昼食外食予定日数にわたって昼食外食を摂取することを想定した。これに対し、週初情報の登録処理により登録後に、欠勤等により今週昼食外食予定日数が変更となった場合には、その旨を、利用者が可搬型通信装置から健康増進支援装置へ通知し、当該通知を受けた健康増進支援装置が、当該通知の内容に応じて、週間推奨栄養成分、週間実績栄養成分及び残日数の登録内容を変更するようにしてもよい。
【０２０９】
また、上記の第１〜第３実施形態では、店舗を、食品を販売する店舗としたが、食品の提供サービスが行われるファミリーレンストラン等の店舗としてもよい。
【産業上の利用可能性】
【０２１０】
以上説明したように、本発明の健康増進支援システムは、個々の利用者の健康増進を支援する際に適用することができる。
【符号の説明】
【０２１１】
１００Ａ〜１００Ｃ  …  可搬型通信装置
１１０Ａ〜１１０Ｃ  …  処理制御ユニット
１２０              …  記憶ユニット
１３０              …  入力ユニット
１４０              …  位置検出ユニット（位置検出部）
１５０              …  撮影ユニット（撮影部）
１６０              …  音出力ユニット（提示部の一部）
１７０              …  表示出力ユニット（提示部の一部）
１８０              …  無線通信ユニット
２００Ａ，２００Ｂ  …  品揃え管理装置
２１０Ａ，２１０Ｂ  …  処理制御ユニット
２２０              …  記憶ユニット
２３０              …  外部通信ユニット
３００Ａ〜３００Ｃ  …  健康増進支援装置
３１０Ａ〜３１０Ｃ  …  処理制御ユニット（取得部の一部、生成部）
３２０              …  記憶ユニット（記憶部）
３３０              …  外部通信ユニット（取得部の一部）
４００              …  店舗管理装置
ＧＭＩ              …  品揃え管理情報
ＮＲＩ              …  推奨栄養成分関連情報
ＲＧ                …  周辺領域
ＳＨＰ              …  店舗
【図１】
2020091577.tif 000003
【図２】
2020091577.tif 000004
【図３】
2020091577.tif 000005
【図４】
2020091577.tif 000006
【図５】
2020091577.tif 000007
【図６】
2020091577.tif 000008
【図７】
2020091577.tif 000009
【図８】
2020091577.tif 000010
【図９】
2020091577.tif 000011
【図１０】
2020091577.tif 000012
【図１１】
2020091577.tif 000013
【図１２】
2020091577.tif 000014
【図１３】
2020091577.tif 000015
【図１４】
2020091577.tif 000016
【図１５】
2020091577.tif 000017
【図１６】
2020091577.tif 000018
【図１７】
2020091577.tif 000019
【図１８】
2020091577.tif 000020
【図１９】
2020091577.tif 000021
【図２０】
2020091577.tif 000022
【図２１】
2020091577.tif 000023
【図２２】
2020091577.tif 000024
【図２３】
2020091577.tif 000025